(57)【要約】【課題】給水バルブが吐水状態から止水状態に変わる際にフロートの桶貯水部における排水を確実にかつ効率よく行うことができる便器洗浄水供給装置を提供する。【解決手段】本発明の便器洗浄水供給装置２０は、給水管２２と、この給水管から供給される洗浄水のロータンク１４内への吐水及び止水を切替える給水バルブ２４と、ロータンク内の洗浄水の水位の変動に伴って上下動するフロート２６と、一端部が給水バルブに回動可能に取り付けられ、他端部がフロートに固定されるレバーアーム３０と、を有し、フロートは、その上部に形成され、給水バルブが吐水状態のとき給水バルブから吐水される洗浄水の少なくとも一部を受け取って貯水すると共に給水バルブが止水状態のとき貯水した洗浄水を排水口２６ｅから排水する桶貯水部２６ｂを備え、この桶貯水部の排水口が桶貯水部の周縁部全周に沿って複数配置されていることを特徴としている。【選択図】図４
2010071055.tif 000002
【特許請求の範囲】
【請求項１】
水洗便器の洗浄水タンクに洗浄水を供給する便器洗浄水供給装置であって、
外部の給水源に接続された給水管と、
この給水管から供給される洗浄水の洗浄水タンク内への吐水及び止水を切替えて洗浄水を上記洗浄水タンク内に供給する給水バルブと、
上記洗浄水タンク内の洗浄水の水位の変動に伴って上下動するフロート部と、
一端部が上記給水バルブに回動可能に取り付けられ、他端部が上記フロート部に固定されて上記フロート部と共に上下動することにより上記給水バルブの吐水及び止水を切り替えるレバーアーム部と、
を有し、上記フロート部は、その上部に形成され、上記給水バルブが吐水状態のとき給水バルブから吐水される洗浄水の少なくとも一部を受け取って貯水すると共に上記給水バルブが止水状態のとき貯水した洗浄水を排水口から排水する桶貯水部を備え、この桶貯水部の排水口が、上記桶貯水部の周縁部全周に沿って複数配置されていることを特徴とする便器洗浄水供給装置。
【請求項２】
上記桶貯水部の排水口は、上記桶貯水部の周縁部全周に沿ってほぼ等間隔で複数配置されている請求項１記載の便器洗浄水供給装置。
【請求項３】
上記フロート部は、そのフロート部本体を形成し上記桶貯水部の下部に位置する外周壁を備え、上記桶貯水部の排水口は、上記外周壁に向かって開口している請求項１又は２に記載の便器洗浄水供給装置。
【請求項４】
上記フロート部は、その外周壁の全周に沿って上記排水口の位置と対応するようにほぼ等間隔に形成された凹部を備えている請求項３記載の便器洗浄水供給装置。
【請求項５】
上記桶貯水部は、その底面部の中心部から周縁部全周にかけて斜め下方に傾斜している傾斜面を備えている請求項１記載の便器洗浄水供給装置。
【請求項６】
上記給水バルブは、上記フロート部の桶貯水部の斜め上方に配置され且つ上記フロート部の桶貯水部に上記給水源の水圧の洗浄水の少なくとも一部を吐水する吐水部を備えている請求項１記載の便器洗浄水供給装置。
【発明の詳細な説明】
【技術分野】
【０００１】
本発明は、便器洗浄水供給装置に係り、特に、水洗便器の洗浄水タンクに洗浄水を供給する便器洗浄水供給装置に関する。
【背景技術】
【０００２】
従来から、水洗便器のロータンク等の洗浄水タンクに洗浄水を供給する便器洗浄水供給装置の一例として、洗浄水タンク内にパイロット式のダイヤフラム弁を有するボールタップ（給水バルブ）を設けた便器洗浄水供給装置が知られている（例えば、特許文献１参照）。
このような従来の便器洗浄水供給装置においては、外部の給水源（水道）に接続された給水管の上端に設けられた給水バルブが、洗浄水タンク内の水位に応じて上下動するフロートと連動することにより、給水バルブから洗浄水タンク内への吐水及び止水が切り替えられるようになっている。また、給水バルブが、フロートの上部に形成された桶貯水部に上方から洗浄水を吐水する吐水管を備えている。これにより、給水バルブが吐水状態のときには、フロートには浮力以外に吐水管から下向きのジェット水圧が作用し、給水バルブが止水状態に変わるときは、このジェット水圧が急に作用しなくなり、フロートに大きな押上力（浮力）が作用する。これにより、止水が不安定となって吐水と止水の状態を小刻みに繰り返す現象（いわゆる「ハンチング現象」）が発生する不安定域を速やかに短時間で通過させて、フロートのハンチング現象の発生を抑制している。
【０００３】
【特許文献１】特開２００８−５７１６０号公報
【発明の開示】
【発明が解決しようとする課題】
【０００４】
しかしながら、上述した従来の便器洗浄水供給装置においては、給水バルブが止水状態に変わるときに、フロートの桶貯水部に貯水されていた洗浄水は、桶貯水部の一部分に形成された排水口等から桶貯水部の外部へ排水されるようになっているが、給水バルブが吐水状態から止水状態に変わる際にフロート自体や桶貯水部の姿勢が傾いていたりすると、うまく桶貯水部から排水しきれず、この排水しきれなかった桶貯水部における残水が原因でフロートがハンチングしてしまうという問題がある。
【０００５】
特に、このような桶貯水部の排水不良によって生ずるフロートのハンチングの問題は、上述した特許文献１に記載した便器洗浄水供給装置に限られず、フロートの桶貯水部に給水バルブから吐水するタイプの便器洗浄水供給装置に共通する解決すべき課題であり、給水バルブが吐水状態から止水状態に切り替わる際のフロートの桶貯水部の排水をいかに確実にかつ効率よく行うかが重大な課題となっている。
【０００６】
そこで、本発明は、上述した従来技術の問題点及び課題を解決するためになされたものであり、給水バルブが吐水状態から止水状態に切り替わる際にフロートの桶貯水部における排水を確実にかつ効率よく行うことができ、給水バルブを吐水から止水に切り替える際に生ずるフロートのハンチング現象の発生を防止することができる便器洗浄水供給装置を提供することを目的としている。
【課題を解決するための手段】
【０００７】
上記の目的を達成するために、本発明は、水洗便器の洗浄水タンクに洗浄水を供給する便器洗浄水供給装置であって、外部の給水源に接続された給水管と、この給水管から供給される洗浄水の洗浄水タンク内への吐水及び止水を切替えて洗浄水を洗浄水タンク内に供給する給水バルブと、洗浄水タンク内の洗浄水の水位の変動に伴って上下動するフロート部と、一端部が上記給水バルブに回動可能に取り付けられ、他端部が上記フロート部に固定されて上記フロート部と共に上下動することにより上記給水バルブの吐水及び止水を切り替えるレバーアーム部と、を有し、上記フロート部は、その上部に形成され、上記給水バルブが吐水状態のとき給水バルブから吐水される洗浄水の少なくとも一部を受け取って貯水すると共に上記給水バルブが止水状態のとき貯水した洗浄水を排水口から排水する桶貯水部を備え、この桶貯水部の排水口が、上記桶貯水部の周縁部全周に沿って複数配置されていることを特徴としている。
このように構成された本発明においては、フロート部の桶貯水部の排水口が桶貯水部の周縁部全周に沿って複数配置されているため、フロート部が傾いている状態であっても、桶貯水部に貯水されている洗浄水を複数の排水口の少なくとも１つを経て桶貯水部の外部に確実に排水することができる。また、給水バルブが止水状態のとき、桶貯水部に貯水されている洗浄水が外部に確実に排水されるため、フロート部のハンチングを確実に防ぐことができる。さらに、フロート部のハンチングを確実に防ぐことにより、給水バルブにおけるゴミ噛みによる作動不良を確実に防ぐことができる。
【０００８】
本発明において、好ましくは、桶貯水部の排水口は、桶貯水部の周縁部全周に沿ってほぼ等間隔で複数配置されている。
このように構成された本発明においては、排水口が桶貯水部の周縁部全周に沿ってほぼ等間隔で複数配置されているため、フロート部がいかなる方向に傾いている状態であっても、桶貯水部に貯水されている洗浄水を複数の排水口の少なくとも１つを経て桶貯水部の外部に確実に排水することができる。また、給水バルブが止水状態のとき、桶貯水部に貯水されている洗浄水が外部に確実に排水されるため、フロート部のハンチングを確実に防ぐことができる。さらに、フロート部のハンチングを確実に防ぐことにより、給水バルブにおけるゴミ噛みによる作動不良を確実に防ぐことができる。
【０００９】
本発明において、好ましくは、フロート部は、そのフロート部本体を形成し桶貯水部の下部に位置する外周壁を備え、桶貯水部の排水口は、外周壁に向かって開口している。
このように構成された本発明においては、フロート部の桶貯水部に貯水されている洗浄水は、排水口から排水されると、フロート部の外周壁の壁面に沿って流下するため、洗浄水の水はねによる騒音（水はね音）を防ぐことができる。
【００１０】
本発明において、好ましくは、フロート部は、その外周壁の全周に沿って排水口の位置と対応するようにほぼ等間隔に形成された凹部を備えている。
このように構成された本発明においては、フロート部の桶貯水部に貯水されている洗浄水は、排水口から排水されると、フロート部の外周壁の凹部に沿って流下することによって整流化されるため、洗浄水の乱れによって発生する騒音を抑制し、静音化を実現することができる。
【００１１】
本発明において、好ましくは、桶貯水部は、その底面部の中心部から周縁部全周にかけて斜め下方に傾斜している傾斜面を備えている。
このように構成された本発明においては、フロート部の桶貯水部の中心部から周縁部全周にかけて斜め下方に傾斜している傾斜面により、桶貯水部に貯水されている洗浄水を複数の排水口の少なくとも１つを経て桶貯水部の外部に確実に排水することができる。また、給水バルブが止水状態のとき、桶貯水部に貯水されている洗浄水が外部に確実に排水されるため、フロート部のハンチングを確実に防ぐことができる。さらに、フロート部のハンチングを確実に防ぐことにより、給水バルブにおけるゴミ噛みによる作動不良を確実に防ぐことができる。
【００１２】
本発明において、好ましくは、給水バルブは、フロート部の桶貯水部の斜め上方に配置され且つフロート部の桶貯水部に給水源の水圧の洗浄水の少なくとも一部を吐水する吐水部を備えている。
このように構成された本発明においては、給水バルブの吐水部がフロート部の桶貯水部の斜め上方に配置されているため、フロート部がいかなる方向に傾いている状態であっても、給水バルブの吐水部が給水源の水圧の洗浄水の少なくとも一部をフロート部の桶貯水部に向けて確実に吐水することができる。また、吐水部がフロート部の桶貯水部の斜め上方に配置することにより、吐水部が干渉することなく給水バルブの周辺のスペースを有効利用してコンパクトにすることができる。
【発明の効果】
【００１３】
本発明の便器洗浄水供給装置によれば、給水バルブが吐水状態から止水状態に変わる際にフロートの桶貯水部における排水を確実にかつ効率よく行うことができ、給水バルブを吐水から止水に切り替える際に生ずるフロートのハンチング現象の発生を防止することができる。
【発明を実施するための最良の形態】
【００１４】
以下、添付図面により、本発明の一実施形態による便器洗浄水供給装置を説明する。
まず、図１により、本発明の便器洗浄水供給装置が適用される便器の一例を説明する。図１は本発明の便器洗浄水供給装置が適用される水洗便器の断面図である。図１に示すように、符号１は水洗便器を示し、この水洗便器１の上部の前方側には、ボウル部２が形成され、後方側の上部には導水路４が、導水路４の下方にはボウル部２と連通する排水トラップ管路６が、それぞれ形成されている。
【００１５】
水洗便器１のボウル部２の上縁部にはオーバーハング形状のリム８が形成され、このリム８に導水路４から洗浄水が供給される１つ又は２つのリム吐水口１０が形成され、洗浄水が旋回しながら下降してボウル部２を洗浄できるようになっている。また、ボウル部２の中心下部には、導水路４から洗浄水が供給されるジェット吐水口１２が形成され、このジェット吐水口１２から洗浄水が排水トラップ管路６に向けて吐水され、サイホンを短時間で発生されるようになっている。
【００１６】
水洗便器１の導水路４の上方には、洗浄水を貯留する洗浄水タンクであるロータンク１４が設けられている。このロータンク１４の底面１４ａには、水洗便器１の導水路４と連通する連通口１４ｂが形成されている。このロータンク１４の内部には、後述するように、本発明の便器洗浄水供給装置２０を含む種々の機器が設けられている。
【００１７】
つぎに、図２及び図３により、ロータンク１４内に設けられた種々の機器について説明する。図２はロータンクの内部を示す正面断面図であり、図３はロータンクの内部を示す平面図である。
図２及び図３に示すように、ロータンク１４内には、排水弁１６、オーバーフロー管１８、給水管２２、給水バルブ２４、及び、フロート２６が設けられている。
【００１８】
具体的には、排水弁１６は、大洗浄用の弁体１６ａと小洗浄用の弁体１６ｂからなり、両弁体１６ａ，１６ｂは、ロータンク１４の底面１４ａの連通口１４ｂの部分に設けられている。また、両弁体１６ａ，１６ｂのそれぞれは、それぞれの排水弁用のフロート１６ｃ，１６ｄを介して、操作レバー２８に接続された玉鎖１６ｅ，１６ｆにそれぞれ接続されており、操作レバー２８を操作して大洗浄又は小洗浄のモードを切り替えることにより、大洗浄用の弁体１６ａ又は小洗浄用の弁体１６ｂの開閉操作が行われるようになっている。
【００１９】
この排水弁１６は、閉操作により洗浄水をロータンク１４内に貯水し、開操作により、ロータンク１４内の洗浄水を水洗便器１の導水路４を経由して、リム吐水口１０及びジェット吐水口１２に導くようになっている。
【００２０】
また、オーバーフロー管１８は、その上端に開口１８ａが形成されその下端が排水弁１６の弁座１６ｇに連通するように設けられている。このオーバーフロー管１８により、洗浄水の水位が万一上昇しても、開口１８ａから、洗浄水がオーバーフローし、排水弁１６の弁座１６ｇを経由して、さらに、水洗便器１の導水路４を経て、リム吐水口１０とジェット吐水口１２から、ボウル部２内に排出されるようになっている。
【００２１】
つぎに、図２〜図６を参照して、本発明の一実施形態による便器洗浄水供給装置２０について説明する。図４は本実施形態の便器洗浄水供給装置を示す斜視図であり、図５は本実施形態の便器洗浄水供給装置を示す縦断面図であり、図６は図５に示す本実施形態の便器洗浄水供給装置の給水バルブの部分を拡大した拡大断面図である。
【００２２】
まず、図２〜図６に示すように、本実施形態の便器洗浄水供給装置２０は、給水管２２、給水バルブ２４、フロート２６（詳細は後述する）、及び、レバーアーム３０を備えている。
【００２３】
給水管２２は、ロータンク１４の底面１４ａに取り付けられ、外部の水道等の給水源（図示せず）に接続され、洗浄水をロータンク１４内に供給するようになっている。この給水管２２は、中心部に給水路２２ａが形成され、この給水路２２ａの下流側端部（図５における給水路２２ａの右側端部）には、ダイヤフラム式の給水バルブ２４が設けられている。
【００２４】
給水バルブ２４は、バルブハウジング２４ａと、このバルブハウジング２４ａ内に上下方向に移動可能に設けられてシート面２４ｂを開閉するダイヤフラム２４ｃと、このダイヤフラム２４ｃに取り付けられてバルブハウジング２４ａ内をダイヤフラム２４ｃと共に一体的に上下方向に移動可能な弁体２４ｄを備えている。
また、ダイヤフラム２４ｃには、パイロット穴（図示せず）が形成され、このパイロット穴（図示せず）により、給水管２２の給水路２２ａとダイアフラム２４ｃの上側にある背圧室２４ｅとが連通されている。この背圧室２４ｅの上部には、背圧抜き穴２４ｆが形成されている。
【００２５】
また、給水バルブ２４のバルブハウジング２４ａのフロート２６側の斜め下方には、ダイアフラム２４ｃを介して給水管２２の給水路２２ａに連通する吐水管３２が設けられている。この吐水管３２は、言い換えると、フロート２６の筒状の本体２６ａの上部に形成された桶貯水部２６ｂ（詳細は後述する）の斜め上方に配置され、ほぼ給水源（図示せず）の水圧に等しい給水管２２の給水路２２ａの洗浄水の少なくとも一部をフロート２６の桶貯水部２６ｂに向けて吐水する吐水部として機能している。
【００２６】
さらに、給水バルブ２４のバルブハウジング２４ａの上面には、レバーアーム３０が取り付けられている。このレバーアーム３０は、一端部（図２〜図６における左側端部）３０ａから他端部（図２〜図６における右側端部）３０ｂにかけてクランク状に延びており、左側端部３０ａが給水バルブ２４のバルブハウジング２４ａの上面に回動可能に取り付けられ、右側端部３０ｂがフロート２６の主軸部２６ｃに固定されている。また、レバーアーム３０の左側端部３０ａには、背圧抜き穴２４ｆを開閉するトップシール３０ｃが取り付けられている。
このような構成により、レバーアーム３０は、その右側端部３０ｂがフロート３０と共に上下動することにより、レバーアーム３０の左側端部３０ａが支点３０ｄ（図４参照）を中心に揺動運動ができるようになっており、給水バルブ２４の吐水及び止水が切り替えられるようになっている。
【００２７】
また、給水バルブ２４は、給水管２２から吐水管３２とは別に分岐して設けられた手洗い給水管３４を備えている。この手洗い給水管３４は、ロータンク１４の上に着脱自在に固定され且つその上面に手洗い鉢１４ｃを形成する蓋１４ｄに設けられた手洗いカラン１４ｅに接続されている。給水管２２の給水路２２ａの洗浄水の一部は手洗い給水管３４を通過して手洗いカラン１４ｅの吐水口１４ｆから手洗い鉢１４ｃ内に吐水され、手洗い鉢１４ｃの排水口１４ｇからロータンク１４内に排水されるようになっている。
【００２８】
つぎに、図２〜図５、図７及び図８を参照して、フロート２６の詳細について説明する。図７は本実施形態による便器洗浄水供給装置のフロートを示す平面図であり、図８は図７のVIII−VIII断面図である。
図２〜図５、図７及び図８に示すように、フロート２６は、筒状のフロート本体２６ａの上部に形成された桶貯水部２６ｂと、この桶貯水部２６ｂの中心部から上方に延びてレバーアーム３０の右側端部３０ｂと螺合するように雄ねじ山が形成された主軸部２６ｃとを備えている。
【００２９】
フロート２６の桶貯水部２６ｂは、その周囲が側壁２６ｄによって取り囲まれており、吐水管３２から桶貯水部２６ｂに向けて吐水された吐水の所定容積量を収容して貯水することができるようになっている。
フロート２６の主軸部２６ｃは、その軸回りに回転させることによりフロートの高さ位置を変更することができるようになっており、ロータンク１４の設定される標準水位（ウォーターライン）に応じてフロート２６の位置を調節できるようになっている。
【００３０】
また、フロート２６の桶貯水部２６ｂには、その周縁部全周に沿ってほぼ等間隔に形成されて複数の長孔形状の排水口２６ｅが配置されている。これらの排水口２６ｅは、桶貯水部２６ｂの軸方向に貫通しており、フロート本体２６ａを形成する外周壁２６ｆに向かって開口している。ここで、排水口２６ｅは、桶貯水部２６ｂに貯水されている洗浄水を外部により確実に排水するために、桶貯水部２６ｂの側壁２６ｄの高さ方向中央より下側に形成されることが好ましく、桶貯水部２６ｂの底面部に形成されることが最も好ましい。
【００３１】
さらに、フロート本体２６ａの外周壁２６ｆの壁面には、その全周に沿って桶貯水部２６ｂの排水口２６ｅの位置と対応するようにほぼ等間隔に形成された凹部である縦溝２６ｇが形成されている。この縦溝２６ｇは、その溝の横断面がフロート本体２６ａの半径方向内方に向かって凹んだ凹状の溝を形成している。
【００３２】
また、桶貯水部２６ｂの底面部においては、その中心部から周縁部全周にかけて斜め下方に傾斜している傾斜面２６ｈが形成されている。
特に、図８に示す桶貯水部２６ｂの傾斜面２６ｈの断面において、水平面に対する傾斜角度αを大きな角度に設定すると、排出口２６ｅからの排出性能は上がるが、桶貯水部２６ｂの貯水量が減ってしまったり、或いは、主軸部２６ｃのネジ代が確保できなくなるという問題が生じる。また、傾斜角度αが大きくなるにつれて側壁２６ｄも高くなり、フロート２６自体の重量や桶貯水部２６ｂの貯水量が増えるため、フロート２６への大きな浮力が必要になるといった問題が生じる。これらの問題を解消するため、傾斜角度αは、１°〜１５°に設定されているのが好ましく、５°〜１０°に設定されるのがさらに好ましく、６°〜８°に設定されるのが最も好ましい。
【００３３】
つぎに、図１〜図１０により、本発明の実施形態による便器洗浄水供給装置の動作（作用）を説明する。ここで、図９は、図５と同様な本実施形態の便器洗浄水供給装置を示す縦断面図であり、給水バルブが開弁した状態を示している。また、図１０は、図９に示す本実施形態の便器洗浄水供給装置の給水バルブの部分を拡大した拡大断面図である。
【００３４】
まず、ロータンク１４内に洗浄水が十分に貯水されている場合には、洗浄水の水位は満水の水位Ａ（図２参照）となっている。このとき、給水バルブ２４等は、以下の状態となっている。
すなわち、図４〜図６に示すように、フロート２６は、上方位置まで上昇しており、その浮力により、レバーアーム３０は、支点３０ｄを中心にして反時計回り方向に付勢され、レバーアーム３０の左側端部３０ａが下方に押し下げられた状態となる。この結果、レバーアーム３０の左側端部３０ａのトップシール３０ｃが給水バルブ２４の背圧抜き穴２４ｆを閉じる。このとき、ダイヤフラム２４ｃのパイロット穴（図示せず）により、背圧室２４ｅと給水管２２の給水路（１次側）２２ａとが連通されているので、背圧室２４ｅと給水路（１次側）２２ａの圧力が等しくなり、その結果、ダイヤフラム２４ｃを押す面積比（背圧室側面積＞１次側面積）により、ダイヤフラム２４ｃ及び弁体２４ｄは下方に移動し、閉弁した状態となっている。
【００３５】
つぎに、水洗便器１の使用後には、便器使用者が操作レバー（図示せず）を操作した場合、例えば、大洗浄の場合には、排水弁１６の弁体１６ａ，１６ｂの双方が開き、ロータンク１４内に貯水された洗浄水を水洗便器１へ流して水洗便器１を洗浄する。最後には、ロータンク１４内に洗浄水の水位は空状態である水位Ｂ（図２参照）となる。
【００３６】
その後、排水弁１６が閉じられ、この洗浄タンク１４の空状態（水位Ｂの状態）から、ロータンク１４内に外部の給水源（水道）から洗浄水が供給される。このとき、給水バルブ２４等は、以下の状態となっている。
すなわち、図９及び図１０に示すように、フロート２６は下方位置まで下降し、洗浄水から露出し、レバーアーム３０の右側端部３０ｂに空中からぶら下がった状態となっている。このとき、レバーアーム３０の左側端部３０ａは、フロート２６の重量により、支点３０ｄを中心にして時計回り方向に付勢され、上方に押し上げられる。このとき、レバーアーム３０の左側端部３０ａのトップシール３０ｃが給水バルブ２４の背圧抜き穴２４ｆを開放し、背圧室２４ｅは大気開放となる。その結果、ダイヤフラム２４ｃ及び弁体２４ｄは、給水路（１次側）２２ａの圧力（水道圧）により押されて上方に移動し、開弁状態となる。
【００３７】
給水バルブ２４が開弁状態となれば、外部の給水源（水道）から洗浄水が給水管２２の給水路２２ａ（１次側）に供給される。給水管２２の給水路２２ａの洗浄水の一部は手洗い給水管３４を通過して手洗いカラン１４ｅの吐水口１４ｆから手洗い鉢１４ｃ内に吐水され、手洗い鉢１４ｃの排水口１４ｇからロータンク１４内に排水される。これにより、ロータンク１４内の水位が次第に上昇する。
【００３８】
このとき、図９に吐水管３２から吐出される洗浄水をＷで示すように、洗浄水Ｗが給水管２２の給水路２２ａ（１次側）から吐水管３２へも供給され、この吐水管３２から、斜め下方にあるフロート２６の桶貯水部２６ｂに向けて吐水される。これにより、フロート２６が上昇して洗浄水中に浮いた状態となった場合には、フロート２６には、上向きの浮力、桶貯水部２６ｂに貯水された洗浄水の重量（下向き）、及び、吐水管３２の吐水による下向きの押付力が作用している。
そして、桶貯水部２６ｂが洗浄水で満たされると、側壁２６ｄの上端から溢れ出したり、排水口２６ｅから排出されたりしてロータンク１４内へ供給される。
【００３９】
この後、ロータンク１４内の水位が図２に示す満水の水位Ａまで上昇すると、上述したように、給水バルブ２４は閉じられ、ロータンク１４内への洗浄水の供給は停止される。
【００４０】
また、図８に示すように、吐水管３２から吐水されたフロート２６の桶貯水部２６ｂ内の洗浄水Ｗは、給水バルブ２４が吐水状態から止水状態に切り替わる際、桶貯水部２６ｂの傾斜面２６ｈに沿って排水口２６ｅに向かって流れる。その後、排水口２６ｅに流れ込んだ洗浄水Ｗは、それぞれの排水口２６ｅの位置と対応するフロート本体２６ａの外周壁２６ｆの壁面に形成された縦溝２６ｇに沿って流下して整流化され、ロータンク１４内へ供給される。
【００４１】
上述した本発明の一実施形態による便器洗浄水供給装置２０によれば、レバーアーム３０が一端部（図２〜図６における左側端部）３０ａから他端部（図２〜図６における右側端部）３０ｂにかけてクランク状に延びており、左側端部３０ａが給水バルブ２４のバルブハウジング２４ａの上面に回動可能に取り付けられ、右側端部３０ｂがフロート２６の主軸部２６ｃに固定されているため、レバーアーム３０の左側端部３０ａの回転と右側端部３０ｂの上下動に伴って、給水バルブ２４が吐水状態から止水状態に切り替わる際、フロート２６及び桶貯水部２６ｂが傾きやすい状態となっている。しかしながら、フロート２６及び桶貯水部２６ｂが傾いている状態であっても、フロート２６の桶貯水部２６ｂの排水口２６ｅが桶貯水部２６ｂの周縁部全周に沿ってほぼ等間隔で複数配置されているため、桶貯水部２６ｂに貯水されている洗浄水Ｗを複数の排水口２６ｅの少なくとも１つを経て桶貯水部２６ｂの外部に確実に排水することができる。
また、給水バルブ２４が止水状態のとき、桶貯水部２６ｂに貯水されている洗浄水Ｗが外部に確実に排水されるため、フロート２６のハンチングを確実に防ぐことができる。
さらに、フロート２６のハンチングを確実に防ぐことにより、給水バルブ２４の背圧抜き穴２４ｆとレバーアーム３０のトップシール３０ｃとの間の開閉部分や、ダイヤフラム２４ｃとバルブハウジング２４ａのシート面２４ｂとの間の開閉部分におけるゴミ噛み等による作動不良を確実に防ぐことができる。
また、排水口２６ｅが桶貯水部２６ｂの周縁部全周に沿ってほぼ等間隔で複数配置されているため、各排水口２６ｅの大きさを小さくすることができ、結果としてフロート２６を小型化できる。
【００４２】
また、本実施形態の便器洗浄水供給装置２０によれば、フロート２６の桶貯水部２６ｂに貯水されている洗浄水Ｗは、排水口２６ｅから排水されると、排水口２６ｅの位置と対応するフロート本体２６ａの外周壁２６ｆの壁面に形成された縦溝２６ｇに沿って流下して整流化されるため、洗浄水の水はねによる騒音（水はね音）を防ぐことができる。また、洗浄水の乱れによって発生する騒音を抑制し、静音化を実現することができる。
【００４３】
さらに、本実施形態の便器洗浄水供給装置２０によれば、フロート２６の桶貯水部２６ｂの中心部から周縁部全周にかけて斜め下方に傾斜している傾斜面２６ｈにより、桶貯水部２６ｂに貯水されている洗浄水Ｗを複数の排水口２６ｅの少なくとも１つを経て桶貯水部２６ｂの外部に確実に排水することができる。
【００４４】
また、本実施形態の便器洗浄水供給装置２０によれば、給水バルブ２４の吐水管３２がフロート２６の桶貯水部２６ｂの斜め上方に配置されているため、フロート２６及び桶貯水部２６ｂがいかなる方向に傾いている状態であっても、給水バルブ２４の吐水管３２が給水源（図示せず）の水圧の洗浄水の少なくとも一部をフロート２６の桶貯水部２６ｂに向けて確実に吐水することができる。また、吐水管３２がフロート２６の桶貯水部２６ｂの斜め上方に配置することにより、吐水管３２が干渉することなく給水バルブ２４の周辺のスペースを有効利用してコンパクトにすることができる。
【００４５】
以上、本発明の好ましい実施形態を説明したが、上述した実施形態に限定されず、これらに種々の変更を加えてもよい。特に、上述した実施形態においては、レバーアーム３０は左側端部３０ａから右側端部３０ｂにかけてクランク状に延びており、左側端部３０ａが給水バルブ２４のバルブハウジング２４ａの上面に回動可能に取り付けられ、右側端部３０ｂがフロート２６の主軸部２６ｃに固定されているが、レバーアームをその左側端部から右側端部にかけて直線状に延びるような構成にしたりしてもよいし、或いは、左側端部と給水バルブとを他の部材を介して接続したり、右側端部とフロートとを他の部材を介して接続したりしてもよい。
【図面の簡単な説明】
【００４６】
【図１】本発明の一実施形態による便器洗浄水供給装置が適用される水洗便器の断面図である。
【図２】本発明の一実施形態による便器洗浄水供給装置を含むロータンクの内部を示す正面断面図である。
【図３】本発明の一実施形態による便器洗浄水供給装置を含むロータンクの内部を示す平面図である。
【図４】本発明の一実施形態による便器洗浄水供給装置を示す斜視図である。
【図５】本発明の一実施形態による便器洗浄水供給装置を示す縦断面図である。
【図６】図５に示す本発明の一実施形態による便器洗浄水供給装置の給水バルブの部分を拡大した拡大断面図である。
【図７】本発明の一実施形態による便器洗浄水供給のフロートを示す平面図である。
【図８】図７のVIII−VIII断面図である。
【図９】図５と同様な本発明の一実施形態による便器洗浄水供給装置を示す縦断面図であり、給水バルブが開弁した状態を示している。
【図１０】図９に示す本発明の一実施形態による便器洗浄水供給装置の給水バルブの部分を拡大した拡大断面図である。
【符号の説明】
【００４７】
１    水洗便器
２    ボウル部
４    導水路
６    排水トラップ管路
８    リム
１０    リム吐水口
１２    ジェット吐水口
１４    ロータンク
１４ａ  ロータンクの底面
１４ｂ  連通口
１４ｃ  手洗い鉢
１４ｄ  蓋
１４ｅ  手洗いカラン
１４ｆ  手洗いカランの吐水口
１４ｇ  手洗い鉢の排水口
１６    排水弁
１６ａ  大洗浄用の弁体
１６ｂ  小洗浄用の弁体
１６ｃ，１６ｄ  排水弁用のフロート
１６ｅ，１６ｆ  玉鎖
１６ｇ  弁座
１８    オーバーフロー管
２０    便器洗浄水供給装置
２２    給水管
２２ａ  給水路
２４    給水バルブ
２４ａ  バルブハウジング
２４ｂ  シート面
２４ｃ  ダイヤフラム
２４ｄ  弁体
２４ｅ  背圧室
２４ｆ  背圧抜き穴
２６    フロート
２６ａ  フロート本体
２６ｂ  桶貯水部
２６ｃ  主軸部
２６ｄ  桶貯水部の側壁
２６ｅ  桶貯水部の排水口
２６ｆ  フロート本体の外周壁
２６ｇ  縦溝
２６ｈ  桶貯水部の傾斜面
２８    操作レバー
３０    レバーアーム
３０ａ  レバーアームの左側端部
３０ｂ  レバーアームの右側端部
３０ｃ  トップシール
３０ｄ  支点
３２    吐水管
３４    手洗い給水管
【図１】
2010071055.tif 000003
【図２】
2010071055.tif 000004
【図３】
2010071055.tif 000005
【図４】
2010071055.tif 000006
【図５】
2010071055.tif 000007
【図６】
2010071055.tif 000008
【図７】
2010071055.tif 000009
【図８】
2010071055.tif 000010
【図９】
2010071055.tif 000011
【図１０】
2010071055.tif 000012